(57)【要約】      （修正有）【課題】上下方向および左右方向の振動を吸収でき、かつ振動吸収効果の高い振動吸収構造体を提供する。【解決手段】振動源に取り付けられるべき支持部２と、当該振動源となるべき電磁振動型ポンプ本体に取り付けられるべき支持部と当該電磁振動型ポンプが設置されるべき被取付面に取り付けられる脚部３との間に介装された弾性体４からなる電磁振動型ポンプの振動吸収構造体であって、当該弾性体が、互いに対向した２対のゴムまたはエラストマーからなる板バネ４１と、当該互いに対向した板バネとの間にゴムまたはエラストマーからなる弾性体が前記支持部から延設され、当該互いに対向した板バネのそれぞれの上部が前記支持部に連結され、当該互いに対向した板バネの下部が、前記脚部に連結して構成する。【選択図】図１
0003155810.tif 000002
【実用新案登録請求の範囲】
【請求項１】
振動源に取り付けられるべき支持部と、当該振動源となるべき電磁振動型ポンプ本体に取り付けられるべき支持部と当該電磁振動型ポンプが設置されるべき被取付面に取り付けられる脚部との間に介装された弾性体からなる電磁振動型ポンプの振動吸収構造体であって、
当該弾性体が、互いに対向した２対のゴムまたはエラストマーからなる板バネと、当該互いに対向した板バネとの間にゴムまたはエラストマーからなる弾性体が前記支持部から延設され、当該互いに対向した板バネのそれぞれの上部が前記支持部に連結され、当該互いに対向した板バネの下部が、前記脚部に連結されてなることを特徴とする振動吸収構造体。
【請求項２】
振動源に取り付けられるべき支持部と、当該振動源となるべき電磁振動型ポンプ本体に取り付けられるべき支持部と当該電磁振動型ポンプが設置されるべき被取付面に取り付けられる脚部との間に介装された弾性体からなる電磁振動型ポンプの振動吸収構造体であって、
当該弾性体が、互いに対向した２対のゴムまたはエラストマーからなる板バネと、当該互いに対向した板バネとの間にゴムまたはエラストマーからなる弾性体が前記脚部から延設され、当該互いに対向した板バネのそれぞれの上部が前記支持部に連結され、当該互いに対向した板バネの下部が、前記脚部に連結されてなることを特徴とする振動吸収構造体。
【請求項３】
前記板バネの断面が略Ｓ字状を呈してなることを特徴とする請求項１または２記載の振動吸収構造体。
【考案の詳細な説明】
【技術分野】
【０００１】
本考案は振動吸収構造体に関する。さらに詳しくは、振動源に取り付けられるべき支持部と、当該振動源となるべき電磁振動型ポンプ本体に取り付けられるべき支持部と当該電磁振動型ポンプが設置されるべき被取付面に取り付けられる脚部との間に介装された弾性体からなる電磁振動型ポンプの振動吸収構造体であって、当該弾性体が、互いに対向した２対のゴムまたはエラストマーからなる板バネと、当該互いに対向した板バネとの間にゴムまたはエラストマーからなる弾性体が前記支持部または脚部から延設され、当該互いに対向した板バネのそれぞれの上部が前記支持部に連結され、当該互いに対向した板バネの下部が、前記脚部に連結されてなることを特徴とする振動吸収構造体に関する。
【背景技術】
【０００２】
一般に、ダイヤフラムポンプから発生する騒音には、空中の伝搬と地面からの伝搬があり、特に後者の伝搬による騒音はポンプ本体からの振動エネルギーを吸収しきれなかったことに起因する場合が多大である。
【０００３】
そこで、ポンプ本体からの振動を防止するために、従来から振動吸収構造体が随所に用いられている。その一例として図９および１０に示すダイヤフラム式ポンプの振動吸収構造体１０が開示されている（特許文献１参照）。
【０００４】
従来の振動吸収構造体１０は図１０に示すような構造のもので円錐形が中央部において互いに接合した堤状を成し、その両端に取り付け部を備えて、一方はポンプ本体の取り付け部に、他方は筐体等のベースに取り付けられている。
【０００５】
ところが、このような従来の構造の振動吸収構造体１０ではダイヤフラムを駆動させる振動子の主なる振動方向に対する防振対策は困難であり、また、ポンプ本体から下方向の振動伝搬は、ポンプ本体の重量に左右され振動吸収構造体の中央部で座屈を生じてかえって振動が大きくなる領域の問題と欠点等の課題があった。
【先行技術文献】
【特許文献】
【０００６】
【特許文献１】特開２００５−１７１９２６号公報
【考案の概要】
【考案が解決しようとする課題】
【０００７】
本考案は、かかる事情に鑑みて、上下方向および左右方向（図１中のＸ方向、Ｚ方向）の振動を吸収でき、かつ振動吸収効果の高い振動吸収構造体の提供を目的とする。
【課題を解決するための手段】
【０００８】
本考案の振動吸収構造体は、振動源に取り付けられるべき支持部と、当該振動源となるべき電磁振動型ポンプ本体に取り付けられるべき支持部と当該電磁振動型ポンプが設置されるべき被取付面に取り付けられる脚部との間に介装された弾性体からなる電磁振動型ポンプの振動吸収構造体であって、当該弾性体が、互いに対向した２対のゴムまたはエラストマーからなる板バネと、当該互いに対向した板バネとの間にゴムまたはエラストマーからなる弾性体が前記支持部から延設され、当該互いに対向した板バネのそれぞれの上部が前記支持部に連結され、当該互いに対向した板バネの下部が、前記脚部に連結されてなることを特徴とする。
【０００９】
また、本考案の振動吸収構造体は、振動源に取り付けられるべき支持部と、当該振動源となるべき電磁振動型ポンプ本体に取り付けられるべき支持部と当該電磁振動型ポンプが設置されるべき被取付面に取り付けられる脚部との間に介装された弾性体からなる電磁振動型ポンプの振動吸収構造体であって、当該弾性体が、互いに対向した２対のゴムまたはエラストマーからなる板バネと、当該互いに対向した板バネとの間にゴムまたはエラストマーからなる弾性体が前記脚部から延設され、当該互いに対向した板バネのそれぞれの上部が前記支持部に連結され、当該互いに対向した板バネの下部が、前記脚部に連結されてなることを特徴とする。
【００１０】
また、前記板バネの断面が略Ｓ字状を呈してなることが好ましい。
【考案の効果】
【００１１】
本考案によれば、ポンプの上下方向（Ｚ方向）および振動子の振動方向であるポンプの左右方向（Ｘ方向）において、互いに対向した板バネにより振動を効果的に吸収することができる。また、互いに対向した板バネとの間にゴムまたはエラストマーからなる弾性体が延設されているので、振動が激しい場合であっても、座屈が生じないという効果を奏する。
【図面の簡単な説明】
【００１２】
【図１】本考案の振動吸収構造体を示す斜視図である。
【図２】本考案の振動吸収構造体を示す図である。
【図３】本考案の振動吸収構造体が上下方向に撓んだ状態を示す図である。
【図４】本考案の振動吸収構造体の他の態様を示す図である。
【図５】本考案の振動吸収構造体の他の態様を示す図である。
【図６】本考案の振動吸収構造体の他の態様を示す図である。
【図７】（ａ）〜（ｃ）は本考案の振動吸収構造体が左右方向に撓んだ状態を示す図である。
【図８】従来と本考案の撓みと荷重特性を示す比較グラフである。
【図９】従来の振動吸収構造体を示す図である。
【図１０】従来の振動吸収構造体を示す図である。
【考案を実施するための形態】
【００１３】
以下、添付図面を参照し、本考案の振動吸収構造体を詳細に説明する。図１は、本考案の振動吸収構造体を示す斜視図であり、本考案の振動吸収構造体１は、振動源に取り付けられるべき支持部２と、当該振動源となるべき電磁振動型ポンプ本体（以下、単にポンプという）に取り付けられるべき支持部２と当該電磁振動型ポンプが設置されるべき被取付面Ｆに取り付けられる脚部３との間に介装された弾性体４とから構成されている。
【００１４】
支持部２は、位置決め突起部Ｓを介してポンプに取り付けられ、支持部２に設けられた位置決め突起部Ｓは、たとえばポンプに設けられた係止部に係合することにより取り付けられる。支持部２には、支持部２から上方に延設された、把持部２１が設けられており、メンテナンス時に把持部２１を掴んで容易に振動吸収構造体１をポンプから外すことができる。支持部２および位置決め突起部Ｓはゴムまたはエラストマーからなることが好ましい。
【００１５】
支持部２の下部には、ポンプの振動を吸収するための弾性体４が設けられている。弾性体４は、ポンプの振動を吸収するために、互いに対向した２対のゴムまたはエラストマーからなる板バネ４１と、互いに対向した板バネ４１との間に前記支持部から延設されたゴムまたはエラストマーからなる弾性体である突部４２とから構成されている。より詳細に説明すると、弾性体４は、位置決め突起部Ｓと連結される上面４ａと、当該上面４ａに対向し脚部３が連結される底面４ｂと、上面４ａおよび底面４ｂを連結する一対の対向する板バネ４１と、上面４ａから下方に延設され、対向した板バネ４１の間に設けられる突部４２とから構成される。
【００１６】
板バネ４１は、図５に示すような上下に延びる板バネ４１や図６に示すような断面く字状ないしはドッグレッグ（dogleg）状に屈曲したものや図１〜４に示すような断面形状が略Ｓ字状の板バネ４１を採用することができるが、その形状は図示されたものに限定されるものではない。図１および２では、板バネ４１は、弾性体４の上面４ａから下方に向かうに従い、外側に張り出しており、弾性体４の外側に向かって突出する第１コーナー部４１ａと、第１コーナー部４１ａから延設され、弾性体４の底面に連結される、板バネ４１の弾性体４の内側に向かって突出する第２コーナー部４１ｂとが設けられている。
【００１７】
板バネ４１は、下方に向かうに従って、外側に張り出したものが示されているが、板バネ４１としては、図示されたものに限られず、上面４ａから垂直に延設したものや、内側に傾斜したものでもよく、弾性力の強さに応じて適宜変更が可能であり、板バネ４１の張り出し方向は、特に限定されるものではない。また、板バネ４１のＳ字部分については、図１では、弾性体４の下部側に第１コーナー部４１ａおよび第２コーナー部４１ｂが設けられたものが示されているが、第１コーナー部４１ａおよび第２コーナー部４１ｂは、弾性体４の上部側に設けられたものや、上面４ａと底面４ｂの中間に設けられたものでもよく、Ｓ字部分は特定の位置に限定されるものではない。
【００１８】
突部４２の下端部は、底面４ｂから離間しており、第２コーナー部４１ｂは、突部４２から離間しており、弾性体４の内部には空間Ｓｐが形成されている。第２コーナー部４１ｂと突部４２との間の距離および突部４２と底面４ｂとの間の距離は、弾性体４の弾性に応じて適宜変更が可能であり、特に限定されるものではなく、剛性の高い弾性体４を用い、弾性力を低くした場合には、距離を短くできるし、柔軟な材料の弾性体４を用い、弾性力を高くした場合には、距離を長くすることができ、弾性体４の弾性力に応じて離間距離を適宜調整することができる。
【００１９】
板バネ４１は、図１中のＸＺ面での断面形状が略Ｓ字状を呈し、２つの板バネ４１が対向して設けられ、Ｙ方向にわたって略同一の断面となっている。しかしながら、Ｙ方向に沿って板バネ４１のＸＺ断面が一部拡大または縮小する形状であっても構わない。また、板バネ４１の略Ｓ字状は、図１および２では、第１コーナー部４１ａおよび第２コーナー部４１ｂの２つのコーナー部が設けられたものであるが、コーナー部の数は所望の弾性力に応じて増やすことが可能であり、本考案における略Ｓ字状の板バネ４１は、コーナー部が２つに限られるものではなく、３以上の複数のコーナー部が設けられたものを含む概念であり、コーナー部の数は限定されるものではない。
【００２０】
突部４２は、図１中は弾性体４の上面４ａから下方に突出しているが、図４に示すように底面４ｂから上方に突出する形状であっても構わない。また、突部４２の先端は先細り形状とし、弾性体４の底面４ｂとの接触部分を小さくすることにより、突部４２から弾性体４の底面４ｂへの振動の伝達を小さくすることができるが、突部４２の形状は先細り形状に限られるものではなく、図２中、突部４２の左右幅は、上下にわたって同じ左右幅でもよく、突部４２は、下方に向かって左右方向に拡幅する形状でも構わない。
【００２１】
弾性体４の底面４ｂの下部からは、下方に脚部３が設けられており、脚部３は脚部３に設けられた凹部３ａを介してポンプの取付面Ｆに取り付けられる。脚部３の材質はゴムまたはエラストマーからなることが好ましいが、特に材質は限定されることはない。
【００２２】
つぎに、本考案の振動吸収構造体１の動きを説明する。ポンプが振動していない図２の状態（ポンプの重量により、略Ｓ字状の板バネ４１はすでに撓んでいる）から上下方向（図１中のＺ方向）にポンプが振動すると、上下方向の振動をポンプが支持される支持部２に伝達し、さらに位置決め突起部Ｓを介して弾性体４に上下方向の振動が伝わる。そして上下方向の振動は、略Ｓ字状の板バネ４１に吸収される。このため、脚部３が取り付けられる被取付面Ｆには振動が伝わらない。上下方向の振幅が小さい、小刻みな上下方向の振動の場合には、略Ｓ字状の板バネ４１により振動が吸収されるが、上下方向の振幅が大きい激しい振動の場合には、図３に示すように突部４２の下端が弾性体４の底面４ｂに当接し、ゴムまたはエラストマーからなる突部４２と弾性体４の底面４ｂとの接触により衝撃を吸収し、被取付面Ｆへの衝撃を防止する。また、衝撃の際、突部４２の下端を先細り形状とし、底面４ｂとの接触面積を減らすことにより、底面４ｂへの衝撃をさらに減らすことができる。また、突部４２と底面４ｂとが当接することにより、ポンプの上下方向の異常な振動を規制することができるとともに、振動吸収構造体１の座屈を防止することができる。
【００２３】
つぎに、ポンプが振動していない図２の状態から左右方向（図１におけるＸ方向）にポンプが振動すると、図７（ａ）に示すように、Ｘ１方向にポンプが振動し、ポンプに取り付けられた支持部２もＸ１方向に振動する。支持部２に連結された弾性体４の板バネ４１はポンプの振動により弾性変形し、左方向（Ｘ１方向）の振動を吸収し、脚部３に左方向（Ｘ１方向）の振動を伝えない。同様に、図７（ｃ）における右方向（Ｘ２方向）の振動も弾性体４の板バネ４１の弾性変形により脚部３に右方向（Ｘ２方向）の振動を伝えないので、左右方向の振動が弾性体４の対向する略Ｓ字状の板バネ４１により吸収され、被取付面Ｆにポンプの左右方向の振動の伝達を防止することができる。
【００２４】
左右方向の振動の振幅が大きくないときは、弾性体４の突部４２と略Ｓ字状の板バネ４１の第２コーナー部４１ｂとは当接しないが、振幅が大きくなると、第２コーナー部４１ｂと突部４２の先端部が当接し、過剰な左右方向の振動を防止することができるとともに、振動吸収構造体１が過剰に傾くことがなく、振動吸収構造体１の座屈を防止することができる。
【００２５】
つぎの表１は従来の振動吸収構造体と本考案の振動吸収構造体１の図１におけるＸＹＺ各方向の振動比較特性を実測したもので、Ｘ、Ｙ、Ｚ方向全てに対して振動吸収の効果が見られる。また、図８は撓みと荷重の比較特性を実測したもので従来の振動吸収構造体は座屈が見られる（従来の場合、荷重約２．６〜約３．２ｋｇにおいてグラフから座屈していることが読み取れる）が、本考案は特性が直線で座屈の傾向は見られない。
【００２６】
【表１】
0003155810.tif 000003
【符号の説明】
【００２７】
１  振動吸収構造体
２  支持部
３  脚部
４  弾性体
４ａ  上面
４ｂ  底面
４１  板バネ
４１ａ  第１コーナー部
４１ｂ  第２コーナー部
４２  突部
【図１】
0003155810.tif 000004
【図２】
0003155810.tif 000005
【図３】
0003155810.tif 000006
【図４】
0003155810.tif 000007
【図５】
0003155810.tif 000008
【図６】
0003155810.tif 000009
【図７】
0003155810.tif 000010
【図８】
0003155810.tif 000011
【図９】
0003155810.tif 000012
【図１０】
0003155810.tif 000013